【手続補正書】
【提出日】平成17年8月3日(2005.8.3)
【手続補正１】
【補正対象書類名】明細書
【補正対象項目名】全文
【補正方法】変更
【補正の内容】
【書類名】  明細書
【発明の名称】  厨芥処理機
【特許請求の範囲】
【請求項１】  生ごみを収納する収納容器と、前記収納容器内の生ごみを撹拌する撹拌手段とを備え、前記撹拌手段は駆動手段により駆動される駆動軸と前記駆動軸に設けられ撹拌羽根を配設した腕部材から構成されるとともに、前記撹拌羽根は前記収納容器内面から移動可能である厨芥処理機。
【請求項２】  駆動軸と撹拌羽根との間の腕部材に付勢手段を設けることで、前記撹拌羽根は収納容器内面から移動可能である請求項１記載の厨芥処理機。
【請求項３】  付勢手段は撹拌羽根を収納容器内面方向に付勢する請求項１または２記載の厨芥処理機。
【請求項４】  撹拌羽根を腕部材に固定し、駆動軸に対して前記腕部材が移動する請求項１〜３のいずれか１項に記載の厨芥処理機。
【請求項５】  腕部材を駆動軸に固定し、駆動軸に対して前記撹拌羽根が移動する請求項１〜３のいずれか１項に記載の厨芥処理機。
【請求項６】  腕部材に対して撹拌羽根を、所定角度折曲可能に軸支してなる請求項１または２記載の厨芥処理機。
【請求項７】  腕部材と駆動軸と撹拌羽根をそれぞれ固定し、撹拌羽根を可撓性部材で形成するか、もしくは腕部材と駆動軸と撹拌羽根の少なくとも一ヶ所の固定部に可撓性部材を介在させた請求項１記載の厨芥処理機。
【請求項８】  撹拌羽根の先方に斜面を形成した請求項１〜７のいずれか１項に記載の厨芥処理機。
【請求項９】  撹拌羽根の先方の表裏両面に斜面を形成した請求項１〜８のいずれか１項に記載の厨芥処理機。
【発明の詳細な説明】
【０００１】
【発明の属する技術分野】
本発明は、生ごみ等の厨芥を乾燥または微生物分解させ減量処理する厨芥処理機に関するものである。
【０００２】
【従来の技術】
従来この種の厨芥処理機は、乾燥減量したい生ごみを収納する収納容器内の生ごみを撹拌する撹拌手段として、駆動モータとチェーンで連結され回転自在の撹拌軸、この撹拌軸には先端に撹拌羽根を有したアームが複数固定されている（例えば、特許文献１参照）。また、生ごみを微生物分解させる貯留ドラム内の生ごみを撹拌する撹拌手段として、軸上減速機付きモータに連結され回転自在の回転軸、この回転軸には先端に羽根部を有した羽根支持管が複数固定されているものもある（例えば、特許文献２参照）。
【０００３】
【特許文献１】
特開２００２−１１４３１号公報（第１図、第２図）
【特許文献２】
特開２００１−１４９９０４号公報（第１図、第２図、第３図）
【０００４】
【発明が解決しようとする課題】
しかしながら、前記従来の構成のものは投入される生ごみにスプーンやフォークなどの金属類や貝類の殻などの粉砕し難い異物が混入した場合、撹拌羽根と収納容器の間に噛み込んだり、また、上手に粉砕処理できる様に固定刃を収納容器内に有しているものでは前記異物が撹拌羽根との間にはさまれる。その結果撹拌手段を構成する撹拌軸、アーム、撹拌羽根、また駆動モータまたは減速機付きモータ、チェーン、さらには生ごみを収納する収納容器の何れかが変形、破壊などの故障を招来する課題があった。
【０００５】
本発明は、以上のような従来の課題を解決するもので、粉砕し難い異物が混入した場合でも、撹拌手段などの故障を招来することのない厨芥処理機を提供することを目的としている。
【０００６】
【課題を解決するための手段】
前記従来の課題を解決するために本発明は、生ごみを収納する収納容器と、前記収納容器内の生ごみを撹拌する撹拌手段とを備え、前記撹拌手段は駆動手段により駆動される駆動軸と前記駆動軸に設けられ撹拌羽根を配設した腕部材から構成されるとともに、前記撹拌羽根は前記収納容器内面から移動可能である厨芥処理機で、これによって粉砕し難い異物が混入した場合でも、撹拌羽根が移動することで、前記撹拌手段などの故障を招来することのない厨芥処理機を提供することができる。
【０００７】
【発明の実施の形態】
本発明の請求項１記載の発明は、生ごみを収納する収納容器と、前記収納容器内の生ごみを撹拌する撹拌手段とを備え、前記撹拌手段は駆動手段により駆動される駆動軸と前記駆動軸に設けられ撹拌羽根を配設した腕部材から構成されるとともに、前記撹拌羽根は前記収納容器内面から移動可能である厨芥処理機で、これによって粉砕し難い異物が混入した場合でも、撹拌羽根が移動することで、前記撹拌手段などの故障を招来することのない厨芥処理機を提供することができる。
【０００８】
本発明の請求項２記載の発明は、駆動軸と撹拌羽根との間の腕部材に付勢手段を設けることで、前記撹拌羽根は収納容器内面から移動可能であるもので、粉砕し難い異物が混入した場合、付勢手段に抗して撹拌羽根が移動し前記撹拌手段などの故障を排除し、通常時は付勢手段で確実に復帰され本来の撹拌処理状態にすることができる。
【０００９】
本発明の請求項３記載の発明は、付勢手段は撹拌羽根を収納容器内面方向に付勢するもので、前記撹拌羽根は収納容器内面から移動可能であるもので、粉砕し難い異物が混入した場合、付勢手段に抗して撹拌羽根が移動し前記撹拌手段などの故障を排除し、通常時は付勢手段で確実に復帰され本来の撹拌処理状態にすることができる。
【００１０】
本発明の請求項４記載の発明は、撹拌羽根を腕部材に固定し、駆動軸に対して前記腕部材が移動するもので、移動部材が腕部材だけになり、粉砕し難い異物が混入した場合、撹拌羽根が移動し易く、またコンパクトに構成することができる。
【００１１】
本発明の請求項５記載の発明は、腕部材を駆動軸に固定し、駆動軸に対して前記撹拌羽根が移動するもので、移動部材が撹拌羽根だけになり、粉砕し難い異物が混入した場合、撹拌羽根が移動し易く、またコンパクトに構成することができる。
【００１２】
本発明の請求項６記載の発明は、腕部材に対して撹拌羽根を、所定角度折曲可能に軸支してなるもので、移動部材が撹拌羽根だけになりかつ折曲可能なので、粉砕し難い異物が混入した場合、撹拌羽根を移動し易くすることができる。
【００１３】
本発明の請求項７記載の発明は、腕部材と駆動軸と撹拌羽根をそれぞれ固定し、撹拌羽根を可撓性部材で形成するか、もしくは腕部材と駆動軸と撹拌羽根の少なくとも一ヶ所の固定部に可撓性部材を介在させたもので、さらにコンパクトに構成することができる。
【００１４】
本発明の請求項８記載の発明は、撹拌羽根の先方に斜面を形成したもので、粉砕し難い異物が混入した場合、撹拌羽根がこの斜面に働く分力を得て、収納容器内面から遠ざかるように移動しやすくすることができる。
【００１５】
本発明の請求項９記載の発明は、撹拌羽根の先方の表裏両面に斜面を形成したもので、粉砕し難い異物が混入した場合、撹拌羽根がこの斜面に働く分力を得て、撹拌羽根が正逆両回転する場合にも、前記収納容器内面から遠ざかるように移動しやすくすることができる。
【００１６】
【実施例】
以下、本発明の実施例について図面を参照して説明する。
【００１７】
図１は本発明の一実施例を示す厨芥処理機の内部を透視した斜視図、図２は同厨芥処理機の縦断面図、図３は同厨芥処理機の撹拌手段の要部断面図、図４は他の撹拌手段の実施例を示す要部断面図、図５および図６は同厨芥処理機の撹拌羽根の先端部側面図、図７乃至図８はさらに他の撹拌手段の実施例を示す要部断面図である。
【００１８】
図１乃至２において、１は乾燥減量したい生ごみを収納する収納容器で、２は生ごみの投入時に開閉する蓋である。収納容器１の内部には回転自在の駆動軸３を有し、複数の腕部材４の先端には複数の撹拌羽根５を有する生ごみの撹拌手段６を有しており、厨芥処理機の本体７の底部には駆動モータ８を配し駆動モータ８と駆動軸３はチェーン９で連結されている。なお、チェーン９の代わりに減速機付きモータ（図示せず）を直接駆動軸３に連結してもよい。また、生ごみ処理後大きな固まりとして収納容器１内に残すことなく粉砕させるために、収納容器１の内周面に複数の撹拌羽根５に近接させて固定刃１０を配置させている。収納容器１の上部には生ごみを加熱するヒータからなる加熱手段１１が設けられている。１２は前記加熱手段１１を覆うカバーであり、乾燥ファンモータ１３で回転する乾燥ファン１４によって温風が前記カバー１２に設けられている孔１５を通過し生ごみを乾燥させる。撹拌手段６の要部断面図３において、溶接またはねじ固定した撹拌羽根５を有する腕部材４は駆動軸３に摺動可能に挿通され、他端にピンなどの抜け止め１６と圧縮コイルバネなどの付勢手段である付勢バネ１７とを配置し、通常時には、前記撹拌羽根５を前記収納容器１内面に最も接近させるように付勢している。なお、前記腕部材４には平面部４ａを形成し、また駆動軸３には前記平面部４ａと摺接するキー１８を固定し前記腕部材４自身が回動しないようにしている。
【００１９】
次に上記のように構成された厨芥処理機の動作について説明する。まず蓋２を開けて生ごみを収納容器１へ投入し蓋２を閉める。そして運転を開始すると、モータ８、ヒータからなる加熱手段１１、乾燥ファンモータ１３に通電され撹拌羽根５および乾燥ファン１４が回転し温風が孔１５を通って循環し収納容器１内の生ごみを乾燥させる。乾燥運転終了後、排出口１９のシャッター（図示せず）を開き、撹拌手段６をモータ８で回転させると、複数配置された撹拌羽根５は予め除々に乾燥ごみが排出口１９の方に移動するように、駆動軸３の軸方向に対して角度を有して配置されており、最終的に排出口１９側の撹拌羽根５で自動的に排出口１９から排出される。なお、乾燥運転時には排出口１９側に生ごみが滞留しないように、撹拌羽根５は駆動モータ８で適宜正逆反転回転させて、ムラ無く撹拌し乾燥を促進させている。
【００２０】
また、ご飯の多い生ごみが投入されるとき乾燥処理中に大きな固まりが発生し易いが、前記収納容器１の内周面に複数の撹拌羽根５と近接させて配置した固定刃１０と撹拌羽根５とにより固まりは粉砕され、乾燥処理後前記排出口１９から容易に排出される。一方、万一投入される生ごみにスプーンやフォークなどの金属類や貝類の殻などの粉砕し難い異物が混入した場合、これらの異物が撹拌羽根５と収納容器１の間に噛み込んだり、また、固定刃１０と撹拌羽根５との間にはさまれようとするが、駆動軸３に設けられ撹拌羽根５を配設した腕部材４は付勢手段である付勢バネ１７と抜け止め１６を配設して駆動軸３に対して移動可能にしたので、これら異物の反力で押されて前記撹拌羽根５が前記収納容器１内面から所定距離遠ざかり回転がロックする事を回避でき、撹拌手段６を構成する駆動軸３、腕部材４、撹拌羽根５、また駆動モータ８または減速機付きモータ（図示せず）、チェーン９、さらには生ごみを収納する収納容器１の何れかの変形、破壊などの故障の招来をなくす厨芥処理機が提供できる。また、通常時は付勢手段である付勢バネ１７で確実に復帰され本来の撹拌処理状態にすることができる。
【００２１】
図４は他の撹拌手段の実施例を示す要部断面図で、図３と同一部材は同一番号を付している。撹拌羽根５を有した腕部材２０には長穴２１を設けている。また付勢手段である付勢バネ１７を配置し駆動軸２２に摺動可能に挿通配置し、前記腕部材２０の長穴２１を挿通するピン２３を前記駆動軸２２に固定している。そのため、万一粉砕し難い異物が混入した場合この長穴２１の設定間距離を確実に撹拌羽根５が移動でき、前記撹拌手段などの故障を排除し、通常時は前記撹拌羽根５が前記収納容器１内面に最も近接した所定位置に復帰し本来の撹拌処理状態にすることができる。
【００２２】
図５および図６は同厨芥処理機の撹拌羽根の先端部側面図で、図３乃至図４と同一部材は同一番号を付している。図５は撹拌羽根２４の先方に斜面２４ａを有している。そのため、粉砕し難い異物が混入した場合、撹拌羽根２４がこの斜面２４ａに働く分力を得て、前記収納容器１内面から遠ざかるように移動しやすくすることができる。また、図６では撹拌羽根２５の先方の表裏両面に斜面２５ａを有している。そのため、粉砕し難い異物が混入した場合、撹拌羽根２５がこの斜面２５ａに働く分力を得て、撹拌羽根２５が正逆両回転する場合にも、前記収納容器内面１から遠ざかるように移動しやすくすることができる。
【００２３】
図７乃至図８はさらに他の撹拌手段の実施例を示す要部断面図である。図７では、駆動軸２６に腕部材２７をピン２８で固定している。２９は撹拌羽根で長穴３０を有し、腕部材２７に固定されたピン３１を挿通して腕部材２７の長手方向に長穴３０の距離移動可能に配置されている。また、撹拌羽根２９は腕部材２７の長手方向のみ移動可能にするように長穴３０を有する面を平面３２とし、腕部材２７の平面３３と対接させ、フランジ３４とで腕部材２７を内包させている。３５は圧縮コイルバネなどの付勢手段である付勢バネである。なお、前記フランジ３４の代わりに前記腕部材２７を内包する筒状に形成してもよい。このように構成したので、移動部材が撹拌羽根２９だけになり、粉砕し難い異物が混入した場合、撹拌羽根２９が移動し易く、またコンパクトに構成することができる。
【００２４】
図８では、駆動軸２６に腕部材３６をピン３７で固定している。この腕部材３６に対して撹拌羽根３８を、所定角度折曲可能にピン３９で軸支している。通常時は、真直ぐに位置するよう弾性体であるバネ４０を張架させている。撹拌羽根３８は、腕部材３６を内包するように形成した折曲部４１の範囲内で回動して、撹拌羽根３８の先端は収納容器１の内面から遠ざかるように移動できる。このように構成したので、移動部材が撹拌羽根３８だけになり、粉砕し難い異物が混入した場合、撹拌羽根３８を移動し易くすることができる。
【００２５】
また、図７のように駆動軸２６に腕部材２７をピン２８で固定し、図３のように腕部材４に対して撹拌羽根５を固定し、この撹拌羽根をゴム、可撓性を有する樹脂材料などの可撓性部材で構成するか、または腕部材への固定部に前記可撓性部材を介在させて構成すれば、さらにコンパクトに構成することができる。また、駆動軸に腕部材の固定部に可撓性部材を介在させてもよい。
【００２６】
以上述べたように本実施例によれば、下記に示す効果が得られる。
【００２７】
本実施例では、生ごみを収納する収納容器１と、前記収納容器１内の生ごみを撹拌する撹拌手段６を有し、前記撹拌手段６は駆動モータ８により駆動される駆動軸３とこの駆動軸３に設けられ撹拌羽根５を配設した腕部材４は付勢手段である付勢バネ１７と抜け止め１６を配設して駆動軸３に対して移動可能にし、前記撹拌羽根５が前記収納容器１内面から所定距離遠ざかるように移動可能にしたので、粉砕し難い異物が混入した場合でも、撹拌羽根５が移動して前記撹拌手段６などの故障を招来することのない厨芥処理機にすることができる。また、通常時は付勢手段である付勢バネ１７で確実に復帰され、本来の撹拌処理状態にすることができる。
【００２８】
また、腕部材２０には付勢手段である付勢バネ１７と長穴２１を設けて駆動軸２２に摺動可能に挿通配置し、前記腕部材２０の長穴２１を挿通するピン２３を前記駆動軸２２に固定した構成にしたので、この長穴２１の設定間を確実に撹拌羽根が移動でき、粉砕し難い異物が混入した場合撹拌羽根５が移動し前記撹拌手段などの故障を排除し、通常時は前記撹拌羽根５が前記収納容器１内面に最も近接した所定位置に復帰し本来の撹拌処理状態にすることができる。
【００２９】
また、撹拌羽根２４の先方に斜面２４ａを有して成るようにしたので、粉砕し難い異物が混入した場合撹拌羽根２４がこの斜面２４ａに働く分力を得て前記収納容器１内面から遠ざかるように移動しやすくすることができる。
【００３０】
また、撹拌羽根２５の先方の表裏両面に斜面２５ａを有して成るようにしたので、粉砕し難い異物が混入した場合撹拌羽根２５がこの斜面２５ａに働く分力を得て撹拌羽根２５が正逆両回転する場合にも前記収納容器１内面から遠ざかるように移動しやすくすることができる。
【００３１】
また、腕部材２７は駆動軸２６に固定し、この腕部材２７に対して撹拌羽根２９を移動可能にしたので、移動部材が撹拌羽根２９だけになり粉砕し難い異物が混入した場合撹拌羽根２９が移動し易く、またコンパクトに構成することができる。
【００３２】
また、腕部材３６は駆動軸２６に固定し、この腕部材３６に対して撹拌羽根３８を所定角度折曲可能にピン３９で軸支して、通常時は真直ぐに位置するようバネ４０を張架させて構成したので、移動部材が撹拌羽根３８だけになり粉砕し難い異物が混入した場合撹拌羽根３８を移動し易くすることができる。
【００３３】
また、駆動軸２６に腕部材２７をピン２８で固定し、腕部材に対して撹拌羽根を固定し、この撹拌羽根をゴム、可撓性を有する樹脂材料などの可撓性部材で構成するかまたは腕部材への固定部に前記可撓性部材を介在させたので、さらにコンパクトに構成することができる。
【００３４】
【発明の効果】
以上述べたように本発明は、粉砕し難い異物が混入した場合でも、撹拌手段などの故障を招来することのない厨芥処理機を提供できる。
【図面の簡単な説明】
【図１】
本発明の一実施例を示す厨芥処理機の内部を透視した斜視図
【図２】
同厨芥処理機の縦断面図
【図３】
同撹拌手段の要部断面図
【図４】
同他の撹拌手段の要部断面図
【図５】
同撹拌羽根の先端部側面図
【図６】
同他の撹拌羽根の先端部側面図
【図７】
同他の撹拌手段の要部断面図
【図８】
同他の撹拌手段の要部断面図
【符号の説明】
１  収納容器
３、２２、２６  駆動軸
４、２０、２７、３６  腕部材
４ａ  平面部
５、２４、２５、２９、３８  撹拌羽根
６  撹拌手段
７  本体
８  駆動モータ
９  チェーン
１０  固定刃
１１  加熱手段
１４  乾燥ファン
１６  抜け止め
１７、３５  付勢バネ
１８  キー
１９  排出口
２１、３０  長穴
２３、２８、３１、３７、３９  ピン
２４ａ、２５ａ  斜面
３２、３３  平面
３４  フランジ
４０  バネ
４１  折曲部